【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
液晶層を有する液晶素子を用いて画像を表示する液晶表示装置であって、
前記液晶素子の画像形成面内の複数位置それぞれにおいて前記液晶層に印加する電界の時間平均強度を相互に略同一強度とする第１のモードの後に、前記液晶素子の画像形成面内の複数位置それぞれにおいて前記液晶層に印加する電界の時間平均強度を相互に異なる強度とする第２のモードで、前記液晶素子を動作させる液晶駆動手段と、
前記液晶素子に光を照射する照射手段と、
前記照射手段の光の照射状態に応じて、前記第１のモードまたは前記第２のモードにおいて液晶層に印加する電界強度を制御する制御手段とを有することを特徴とする液晶表示装置。
【請求項２】
前記制御手段は、前記照射手段の光の照射状態に応じて、前記第１のモードまたは前記第２のモードにおける電界の印加時間を制御する請求項１に記載の液晶表示装置。
【請求項３】
液晶層を有する液晶素子を用いて画像を表示する液晶表示装置であって、
前記液晶素子の画像形成面内の複数位置それぞれにおいて前記液晶層に印加する電界の時間平均強度を相互に略同一強度とする第１のモードの後に、前記液晶素子の画像形成面内の複数位置それぞれにおいて前記液晶層に印加する電界の時間平均強度を相互に異なる強度とする第２のモードで、前記液晶素子を動作させる液晶駆動手段と、
前記液晶表示装置の動作開始からの経過時間に応じて、前記第１のモードまたは前記第２のモードにおいて液晶層に印加する電界強度を制御する制御手段とを有することを特徴とする液晶表示装置。
【請求項４】
前記制御手段は、前記液晶表示装置の動作開始からの経過時間に応じて、前記第１のモードまたは前記第２のモードにおける電界の印加時間を制御することを特徴とする請求項３に記載の液晶表示装置。
【請求項５】
前記制御手段は、前記液晶層を形成するための第１の電極層または第２の電極層に付着した荷電性粒子を前記電極層から剥離するまでの時間、前記第１のモードで前記液晶素子を動作させるよう前記液晶駆動手段を制御することを特徴とする請求項１から４のいずれか１項に記載の液晶表示装置。
【請求項６】
前記制御手段は、前記荷電性粒子が前記液晶素子の画像形成面内における前記液晶の液晶分子の傾けられている方向とは異なる方向に移動するまでの時間、前記第２のモードで前記液晶素子を動作させるよう前記液晶駆動手段を制御することを特徴とする請求項１から５のいずれか１項に記載の液晶表示装置。
【請求項７】
前記第２のモードは、前記液晶素子の画像形成面内における前記液晶の液晶分子のあらかじめ傾けられている方向とは異なる方向の複数位置の前記液晶に印加する電界それぞれの時間平均強度を相互に異ならせるモードであることを特徴とする請求項１から６のいずれか１項に記載の液晶表示装置。
【請求項８】
前記照射手段に関連する時間を計測する計時手段を有し、
前記制御手段は、前記計時手段により得られた情報から前記照射手段の光の照射状態を決定することを特徴とする請求項１または２に記載の液晶表示装置。
【請求項９】
前記照射手段に関連する温度を計測する温度測定手段を有し、
前記制御手段は、前記温度測定手段により得られた情報から前記照射手段の光の照射状態を決定することを特徴とする請求項１または２に記載の液晶表示装置。
【請求項１０】
前記照射手段により照射された光を計測する測光手段を有し、
前記制御手段は、前記測光手段により得られた情報から前記照射手段の光の照射状態を決定することを特徴とする請求項１または２に記載の液晶表示装置。
【請求項１１】
前記液晶素子は、前記液晶の液晶分子が前記第１の電極層及び前記第２の電極層に対して略垂直に配向していることを特徴とする請求項１から１０のいずれか１項に記載の液晶表示装置。
【請求項１２】
液晶層を有する液晶素子を用いて画像を表示する液晶表示装置であって、
前記液晶素子を形成するための第１の電極層または第２の電極層に付着した荷電性粒子を前記電極層から剥離するための電界を前記液晶層に印加する第１のモードの後に、
前記荷電性粒子を前記液晶層内で拡散させるための電界を前記液晶層に印加する第２のモードで、前記液晶素子を動作させる液晶駆動手段と、
前記液晶素子に光を照射する照射手段と、
前記照射手段の光の照射状態に応じて、前記第１のモードまたは前記第２のモードにおいて液晶層に印加する電界強度を制御する制御手段とを有することを特徴とする液晶表示装置。
【請求項１３】
前記制御手段は、前記照射手段の光の照射状態に応じて、前記第１のモードまたは前記第２のモードにおける電界の印加時間を制御する請求項１２に記載の液晶表示装置。
【請求項１４】
液晶層を有する液晶素子を用いて画像を表示する液晶表示装置であって、
前記液晶素子を形成するための第１の電極層または第２の電極層に付着した荷電性粒子を前記電極層から剥離するための電界を前記液晶層に印加する第１のモードの後に、
前記荷電性粒子を前記液晶層内で拡散させるための電界を前記液晶層に印加する第２のモードで、前記液晶素子を動作させる液晶駆動手段と、
前記液晶表示装置の動作開始からの経過時間に応じて、前記第１のモードまたは前記第２のモードにおいて液晶層に印加する電界強度を制御する制御手段とを有することを特徴とする液晶表示装置。
【請求項１５】
前記制御手段は、前記液晶表示装置の動作開始からの経過時間に応じて、前記第１のモードまたは前記第２のモードにおける電界の印加時間を制御することを特徴とする請求項１４に記載の液晶表示装置。
【請求項１６】
前記制御手段は、前記液晶層を形成するための第１の電極層または第２の電極層に付着した荷電性粒子を前記電極層から剥離するまでの時間、前記第１のモードで前記液晶素子を動作させるよう前記液晶駆動手段を制御することを特徴とする請求項１２から１５のいずれか１項に記載の液晶表示装置。
【請求項１７】
前記制御手段は、前記荷電性粒子が前記液晶素子の画像形成面内における前記液晶の液晶分子の傾けられている方向とは異なる方向に移動するまでの時間、前記第２のモードで前記液晶素子を動作させるよう前記液晶駆動手段を制御することを特徴とする請求項１２から１６のいずれか１項に記載の液晶表示装置。
【請求項１８】
前記第２のモードは、前記液晶素子の画像形成面内における前記液晶の液晶分子のあらかじめ傾けられている方向とは異なる方向の複数位置の前記液晶に印加する電界それぞれの時間平均強度を相互に異ならせるモードであることを特徴とする請求項１２から１７のいずれか１項に記載の液晶表示装置。
【請求項１９】
前記照射手段に関連する時間を計測する計時手段を有し、
前記制御手段は、前記計時手段により得られた情報から前記照射手段の光の照射状態を決定することを特徴とする請求項１２または１３に記載の液晶表示装置。
【請求項２０】
前記照射手段に関連する温度を計測する温度測定手段を有し、
前記制御手段は、前記温度測定手段により得られた情報から前記照射手段の光の照射状態を決定することを特徴とする請求項１２または１３に記載の液晶表示装置。
【請求項２１】
前記照射手段により照射された光を計測する測光手段を有し、
前記制御手段は、前記測光手段により得られた情報から前記照射手段の光の照射状態を決定することを特徴とする請求項１２または１３に記載の液晶表示装置。
【請求項２２】
前記液晶素子は、前記液晶の液晶分子が前記第１の電極層及び前記第２の電極層に対して略垂直に配向していることを特徴とする請求項１２から２１のいずれか１項に記載の液晶表示装置。
【手続補正２】
【補正対象書類名】明細書
【補正対象項目名】００１６
【補正方法】変更
【補正の内容】
【００１６】
この様な課題を解決するために、本発明の液晶表示装置は、液晶層を有する液晶素子を用いて画像を表示する液晶表示装置であって、前記液晶素子の画像形成面内における複数位置の前記液晶層に印加する電界それぞれの時間平均強度を相互に略同一強度とする第１のモードまたは、前記液晶素子の画像形成面内における複数位置の前記液晶層に印加する電界それぞれの時間平均強度を相互に異なる強度とする第２のモードで、前記液晶素子を動作させる液晶駆動手段と、前記液晶素子に光を照射する照射手段と、前記照射手段の光の照射状態に応じて、前記第１のモードまたは前記第２のモードにおいて印可する電界強度を制御する制御手段とを有することを特徴とする。